(57)【特許請求の範囲】
【請求項１】
内面を有する光透過性ガラス外囲器（１２）と、１対の相互に離間する電極構造（１８）と、前記ガラス外囲器（１２）の前記内面に隣接して被覆される蛍光体層（１６）と、前記外囲器（１２）の内部に密封された水銀蒸気及び不活性ガスから成る放電維持充填ガス（２２）とを具備する低圧水銀放電ランプ（１０）において、
前記不活性ガスが、９５〜１００体積％のクリプトンと平衡アルゴンとから構成され、前記ガラス外囲器（１２）の内部の前記充填ガス（２２）の総圧力が、２５℃において０．５〜３ｔｏｒｒである少なくとも８０ルーメン／ワットのルーメン効率を有し、前記蛍光体層（１６）は、２．３〜４．３ｍｇ／ｃｍ２の被覆重量を有することを特徴とするランプ（１０）。
【請求項２】
前記ガラス外囲器（１２）の前記内面と前記蛍光体層（１６）との間に配設される紫外線反射障壁層（１４）を更に具備し、前記障壁層（１４）はアルミナ粒子から構成される請求項１記載のランプ（１０）。
【請求項３】
前記蛍光体層（１６）は、赤色放出希土類蛍光体、緑色放出希土類蛍光体及び青色放出希土類蛍光体から成る混合３蛍光体系から構成される請求項１または２に記載のランプ（１０）。
【請求項４】
少なくとも２，７００ルーメンの出力を有する請求項１乃至３のいずれかに記載のランプ（１０）。
【請求項５】
少なくとも５０のＣＲＩを有する請求項１乃至４のいずれかに記載のランプ（１０）。
【請求項６】
１２０Ｖ・６０Ｈｚ基準回路で動作させる場合、３０ワット以下の電力で動作する請求項１乃至５のいずれかに記載のランプ（１０）。
【請求項７】
内面を有する光透過性ガラス外囲器（１２）、１対の相互に離間する電極（１８）、前記ガラス外囲器（１２）の前記内面に隣接して被覆される蛍光体層（１６）、及び前記外囲器（１２）の内部に密封された水銀蒸気及び不活性ガスから成る放電維持充填ガス（２２）を備える水銀放電蛍光ランプ（１０）と、
光条消去電子回路（６０）を備え、少なくとも５００ボルトの始動電圧を有し、前記ランプ（１０）に電気的に結合するように適合する安定器（５０）と
を具備する低ワット照明システムにおいて、
前記不活性ガスは、９５〜１００体積％のクリプトンと平衡アルゴンとから構成され、前記ガラス外囲器（１２）の内部の前記充填ガスの総圧力は２５℃において０．５〜３ｔｏｒｒであり、前記ランプ（１０）は、少なくとも８０ルーメン／ワットのルーメン効率を有し、前記蛍光体層（１６）は、２．３〜４．３ｍｇ／ｃｍ２の被覆重量を有する
ことを特徴とする照明システム。
【請求項８】
前記ランプ（１０）は前記ガラス外囲器（１２）の前記内面と前記蛍光体層（１６）との間に配設される紫外線反射障壁層（１４）を更に備え、前記障壁層（１４）はアルミナ粒子から構成される請求項９記載の照明システム。
【発明の詳細な説明】
【０００１】
【発明の属する技術分野】
本発明は、一般に蛍光ランプに関し、特に、既存の市販されている高周波電子安定器と共に動作するのに適合している低ワット数蛍光ランプに関する。
【０００２】
【従来の技術】
Ｔ８蛍光ランプは、非常に普及しており、高効率であるために前世代型Ｔ１２蛍光ランプの大部分が、これに取って代わられている。既知の３成分希土類蛍光体混合物を使用する典型的な４フィートＴ８蛍光ランプは、ＩＥＳ基準回路において３２．５ワット（Ｗ）で動作し、２，８５０ルーメン又は約８８ルーメン／ワットを出力する。市販の高周波電子安定器は効率が非常に高い。
【０００３】
Ｔ８蛍光ランプのエネルギー効率を改善し、エネルギー消費を低減するのが望ましい。Ｔ８ランプを使用する照明器具が、総エネルギー消費量のうちのかなりの部分を占めているので、エネルギー効率を改良したＴ８ランプは、総エネルギー消費量を大幅に削減することになるであろう。エネルギー消費量の削減は、現在の需要を満たすのに必要な過剰なエネルギー発生に関連する環境への影響を緩和するのみならず、消費者にとってのコスト節減につながる。
【０００４】
従って、標準Ｔ８蛍光ランプと比較して同等のルーメン出力を有する低ワット数Ｔ８蛍光ランプが必要である。ルーメン効率を改善する方法の１つとして、蛍光ランプの充填ガスにクリプトンを添加する方法があるが、多くの場合、このクリプトンの添加（特に４０体積％を超える添加）により別の問題を発生させることになる。すなわち、ランプの始動が困難になったり、ランプの光条が発生したりする。
【０００５】
高いルーメン効率を達成するには、充填ガス中のクリプトンの比率が高い（すなわち、４０体積％よりも高い）蛍光ランプを提供することが望ましい。それにより、ランプの始動の際の困難及び光条は完全に、あるいは、ほぼ解消される。
【特許文献１】
米国特許第５００８７８９号
【０００６】
【課題を解決するための手段】
内面を有する光透過性ガラス外囲器と、１対の相互に離間する電極構造と、ガラス外囲器の内面に隣接して被覆される蛍光体層と、外囲器の内部に密封された水銀蒸気及び不活性ガスから成る放電維持充填ガスとを具備する低圧水銀放電ランプが提供される。不活性ガスは、４０〜１００体積％のクリプトンと平衡アルゴンとを含み、ガラス外囲器の内部の充填ガスの総圧力は２５℃において０．５〜３ｔｏｒｒである。ランプは、少なくとも８０ルーメン／ワットのルーメン効率を有する。
【０００７】
水銀放電蛍光ランプと安定器とを具備する低ワット照明システムが提供される。安定器は、ランプに電気的に結合するように適合し、光条消去電子回路を有する。安定器は少なくとも５００ボルトの始動電圧を有する。ランプは、内面を有する光透過性ガラス外囲器と、１対の相互に離間する電極と、ガラス外囲器の内面に隣接して被覆される蛍光体層と、外囲器の内部に密封された水銀蒸気及び不活性ガスから成る放電維持充填ガスとを有する。不活性ガスは、４０〜１００体積％のクリプトンと平衡アルゴンとを含み、ガラス外囲器の内部の充填ガスの総圧力は２５℃において０．５〜３ｔｏｒｒである。ランプは、少なくとも８０ルーメン／ワットのルーメン効率を有する。
【０００８】
【発明の実施の形態】
以降の説明では、５から２５（又は５〜２５）などの範囲を挙げる場合、それは好ましくは少なくとも５であり、その数値とは異なる好ましくは２５を超えない数値の範囲を意味している。
【０００９】
本明細書中で使用する用語「電子安定器」は、当該技術分野で知られている高周波電子安定器を意味し、交流入力信号を２０〜１５０ｋＨｚ、好ましくは２０〜１００ｋＨｚ、好ましくは２０〜８０ｋＨｚ、好ましくは２０〜５０ｋＨｚ、好ましくは２５〜４０ｋＨｚの範囲の高周波交流出力信号に変換するのに適合している軽量固体電子回路を具備し、１５０〜１，０００Ｖの範囲の出力電圧を有する。電子安定器は、瞬時スタート式安定器であるのが好ましく、当該技術分野で知られているようにＴ８蛍光ランプを動作させるのに適している。これほど好ましくはないが、当該技術分野で知られているようなラピッドスタート式安定器を使用することもできる。
【００１０】
また、本明細書中で使用する用語「Ｔ８蛍光ランプ」は、好ましくは直線状であり、好ましくは４８インチの長さであり且つ１インチ（「Ｔ８」の「８」が表すように、１／８インチの８倍である）の公称外径を有する、当該技術分野で知られている蛍光ランプである。４８インチの長さほど好ましくはないが、Ｔ８蛍光ランプは公称で２フィート、３フィート、６フィート又は８フィートの長さであっても良い。あるいは、Ｔ８蛍光ランプは直線状ではなく、円形又はその他の曲線形状であっても良い。
【００１１】
「Ｔ１２蛍光ランプ」は、１．５インチの公称外径及びＴ８ランプと同様の長さを有する、当該技術分野で知られている直線状の蛍光ランプである。
【００１２】
本明細書中において、ワット数は当該技術分野で知られているＩＥＳ６０Ｈｚラピッドスタート式基準回路で測定される。また、本明細書中で使用する用語「ｗｔ．％」は重量％を意味し、用語「ｖｏｌ．％」は体積％（すなわち、ガスの体積）を意味する。
【００１３】
図１は、本発明による低圧水銀放電蛍光ランプ１０を示す。蛍光ランプ１０は、円形の横断面を有する光透過性ガラス管又は外囲器１２を有する。ガラス外囲器１２は、２．３７ｃｍの内径及び１１８ｃｍの長さを有するのが好ましいが、オプションとして別の内径あるいは別の長さであっても良い。当該技術で知られるような紫外線（ＵＶ）反射障壁層１４は、ガラス外囲器１２の内面と隣接して被覆されるのが好ましく、αアルミナ粒子及びγアルミナ粒子の混合物から構成されるのが好ましい。障壁層１４は、ガラス外囲器１２の内面と直接接触するのが好ましい。障壁層１４の内面は、蛍光体層１６で被覆される。これほど好ましくはないが、蛍光体層１６は、障壁層を介さずにガラス外囲器１２の内面に直接被覆することもできる。蛍光体層１６は、希土類３蛍光体層などの希土類蛍光体層であるのが好ましい。
【００１４】
オプションとして、蛍光体層１６はハロリン酸蛍光体層であっても良く、この場合、出力するルーメンは低くなるが、本発明の低ワット数を達成することができる。
【００１５】
ランプは両端部に装着されたベース２０により密閉されており、ベース２０には１対の相互に離間する電極構造１８がそれぞれ載置されている。水銀蒸気及び不活性ガスから成る放電維持充填ガス２２が、ガラス管の内部に密封される。本発明では、不活性ガスは、アルゴンとクリプトンの混合物であるのが好ましい。不活性ガス及び少量の水銀（２５℃における水銀蒸気圧が、好ましくは０．００２から０．０１５ｔｏｒｒ、好ましくは０．００３から０．０１ｔｏｒｒ、好ましくは０．００４から０．００６ｔｏｒｒ）により、低い蒸気圧力での動作となる。
【００１６】
蛍光体層１６は、赤色放出希土類蛍光体、緑色放出希土類蛍光体及び青色放出希土類蛍光体の混合物、好ましくは３蛍光体混合物から構成されるのが好ましい。赤色放出蛍光体は、ユーロピウム（Ｅｕ3+）賦活酸化イットリウム（通常、ＹＥＯと略される）であるのが好ましい。
【００１７】
緑色放出蛍光体は、セリウム（Ｃｅ3+）賦活リン酸ランタン（通常、ＬＡＰと略される）及びテルビウム（Ｔｂ3+）賦活リン酸ランタンであるのが好ましい。これほど好ましくはないが、緑色放出蛍光体は、テルビウム（Ｔｂ3+）賦活酸化アルミニウムセリウム・マグネシウム（通常、ＣＡＴと略される）、セリウム（Ｃｅ3+）賦活五ホウ酸ガドリニウム・マグネシウム及びテルビウム（Ｔｂ3+）賦活五ホウ酸ガドリニウム・マグネシウム、あるいは、当該技術分野で知られているその他の適切な緑色放出蛍光体であっても良い。
【００１８】
青色放出蛍光体は、ユーロピウム（Ｅｕ2+）賦活クロロリン酸カルシウム・ストロンチウム・バリウムであるのが好ましく、これほど好ましくはないが、ユーロピウム（Ｅｕ2+）賦活酸化アルミニウムバリウム・マグネシウム、あるいは、当該技術分野で知られているその他の適切な青色放出蛍光体であっても良い。３つの３蛍光体成分が当該技術分野で知られているように重量％に基づいて組み合わされることで、事前に選択されたランプの色が得られる。典型的なランプの色としては、公称３，０００Ｋ、公称３，５００Ｋ、公称４，１００Ｋ、公称５，０００Ｋ、及び公称６，５００Ｋの相関色温度（ＣＣＴ）を有するものがあるが、３蛍光体を有利なように相対的な重量％比で組み合わせてその他の所定の色温度を有するランプを生産しても良い。色温度は、少なくとも又は多くとも前述の温度であるのが好ましく、あるいは、±５０Ｋ、±１００Ｋ、±１５０Ｋ又は±２００Ｋであるのが好ましい。ランプの色は、前述のＣＣＴに対応する標準ＣＩＥ色の２つ、３つ又は４つのＭＰＣＤステップ内にあるのが好ましい。
【００１９】
好適さでやや劣る実施例では、４種類又は５種類の希土類蛍光体を有する系などのその他の数の希土類蛍光体から構成される希土類蛍光体の混合物が、蛍光体層１６で使用されても良い。
【００２０】
一般的な被覆構造は、米国特許第５，６０２，４４４号に開示されている。この被覆構造は当該技術分野において知られている。米国特許第５，６０２，４４４号で開示されているように、ＵＶ反射障壁層１４は、ガラス外囲器１２の内面に被覆されたγアルミナ粒子とαアルミナ粒子の混合物から構成され、蛍光体層１６が、障壁層１４の内面に被覆されている。
【００２１】
本発明の蛍光体層１６は、ＵＶ反射障壁層１４の内面に配置されるのが好ましく、好ましくは２．３〜４．３ｍｇ／ｃｍ2、より好ましくは２．５〜３．９ｍｇ／ｃｍ2、より好ましくは２．７〜３．７ｍｇ／ｃｍ2、より好ましくは２．８〜３．４ｍｇ／ｃｍ2、より好ましくは２．９〜３．２ｍｇ／ｃｍ2、より好ましくは約３．０ｍｇ／ｃｍ2の被覆重量を有する。これは、米国特許第５，００８，７８９号、第５，０５１，６５３号及び第５，６０２，４４４号のような従来技術と比較して被覆重量が大幅に増加したことを表す。従来技術では、例えば、General Electric Companyの周知のSTARCOAT（商標）のSP型及びSPX型のランプにおいては、それぞれ約１．２ｍｇ／ｃｍ2及び約１．７ｍｇ／ｃｍ2の典型的な被覆重量が使用されている。本発明によるＴ８蛍光ランプは、材料費がかさむために名目上はより高価であるが、既存の電子安定器と共に使用する場合、同等のルーメンを出力するのに消費するエネルギーが少ない。蛍光体の被覆重量が増加することに加えて、前述のアルミナ障壁層１４を伴うことにより、放電によって発生した紫外線放射全体の９９％超が吸収され、可視光線へと変換される。その結果、当該技術分野で一般的に知られている既存の高性能なGeneral Electric SPXランプと比較して、効率が約３％向上する。従って、本発明の蛍光ランプでは、ランプ効率の改善により、同等のルーメンを発生するのに消費するエネルギーが減少する。
【００２２】
充填ガス２２の不活性ガスは、アルゴンとクリプトンの混合物から構成されるのが好ましい。オプションとして、不活性ガスを１００％ほぼ純粋なクリプトンとすることもできる。標準Ｔ８蛍光ランプの不活性ガスはアルゴンである。アルゴン及びクリプトンから成る不活性ガス混合物は、ある種のランプ用の混合物として当該技術分野において一般的に知られている。このような混合物は、例えば、低ワット数の前世代型Ｔ１２ランプで広く使用されている。クリプトンの追加により、蛍光ランプのエネルギー消費は減少するが、これは、アルゴンより原子量の大きいクリプトンが、結果として電子の散乱を抑え、単位放電長さ当たりの熱伝導損失を小さくするからである。しかし、クリプトンの主な欠点は、クリプトンがぺニング電離効果を抑制し、それにより、ランプが標準型１１０Ｖ安定器において始動補助手段なしに始動するのが困難になることである。このため、現在に至るまで、蛍光ランプにおける不活性ガス組成は、始動補助手段がない場合、クリプトンが４０体積％未満に抑えられている。
【００２３】
一般的な始動補助手段となるのは、噴射熱分解を介してガラス外囲器１２の内面に塗布される、フッ素又はアンチモンを添加した半導体酸化スズから成る膜である。始動中、放電が容量的に被覆に結合すると共に電流が壁に沿って流れ、放電自体が導電性になる。しかし、このような膜は、付加的な被覆工程を必要とし、適切に塗布するのは困難であるため、製造時間及び製造コストを増大させる一因となる。更に、始動補助膜によりルーメン出力は１〜２．５％減少する。このため、クリプトンの作用に対向するための始動補助手段を必要とするランプでは、エネルギーコスト節減は、ルーメン出力の低下及び始動補助手段による追加コストにより、少なくとも部分的に相殺される。始動補助手段を使用する前世代型低ワット数Ｔ１２ランプは、通常、平衡アルゴンと共に、不活性ガス中に７５〜９０％のクリプトンを含有する。このようにクリプトンの比率が高いことが、蛍光ランプの始動の際の困難の大きな要因となる。
【００２４】
しかし、本発明の蛍光ランプは、始動補助手段がない場合に不活性ガス中のクリプトンの濃度を更に高くする（すなわち、１００体積％に至るまで）ことが可能である。不活性ガスは、４０〜１００体積％、好ましくは４０〜９５体積％、好ましくは４０〜８０体積％、好ましくは４５〜７５体積％、好ましくは５０〜６０体積％、好ましくは５２〜５７体積％、好ましくは約５５体積％のクリプトンと平衡アルゴンとから構成される。充填ガス２２（水銀蒸気及び不活性ガスを含む）の総圧力は、２５℃において、好ましくは０．５〜３ｔｏｒｒ、より好ましくは０．５〜２．５ｔｏｒｒ、より好ましくは０．５〜２ｔｏｒｒ、より好ましくは１〜２ｔｏｒｒ、より好ましくは１．３〜２ｔｏｒｒ、より好ましくは１．４〜１．７ｔｏｒｒ、より好ましくは約１．５ｔｏｒｒである。
【００２５】
意外にも、２５(Ｃにおける総充填ガス圧を０．５〜３ｔｏｒｒに低減することによって、ルーメン効率が改善され、ランプ始動が簡単になる一方で、従来の安定器と共に使用される場合にクリプトンの濃度が最大５５体積％のランプにおいて光条が減少、あるいは、ほぼ消滅することが判明した。後述する本発明の安定器と共に使用する場合は、クリプトンの濃度が最大１００体積％のランプにおいても簡単な始動、及びほぼ全ての光条の除去が達成される。本発明のランプで光条が発生する場合でも、それは一時的に存在するだけであり、例えば、ランプの始動後の約１分、あるいは、それ未満の時間であることが観察されている。不活性ガス中に４０体積％のクリプトンを含み、１．５〜１．９ｔｏｒｒの総充填ガス２２圧である本発明のランプは、例えば、標準６０Ｈｚ基準回路上で動作する典型的な４フィートＴ８ランプと比べて、ルーメン効率が１０％上昇することが観察された。これらの本発明によるランプは、始動補助手段を必要としなかった。更に、不活性ガス中のクリプトンを９５体積％にした本発明のランプでは、ルーメン効率が１５％上昇することが観察された。市販の高周波安定器を用いた場合、標準Ｔ８ランプと比べて最大２０％のルーメン効率の上昇が達成された。以上のような不活性ガス組成及び総充填ガス圧を有するランプは、電力消費が減少するが、始動補助手段を必要とはしない。
【００２６】
クリプトン濃度の高い（例えば、４０〜１００体積％）本発明のランプ及び、特に、不活性ガス中に５６〜１００体積％、６０〜１００体積％、７０〜１００体積％、又は８０〜１００体積％のクリプトンを有する本発明のランプは、市場で普及しているある種の既存の安定器と共に使用すると始動が困難な場合もある。このような安定器と共に使用する場合、本発明のランプでも光条を発生する恐れがある。しかし、ランプを本発明の安定器５０に結合させ、本発明による低ワット照明システムを提供することによって、これらの問題の双方が解決される。
【００２７】
本発明の低ワット照明システムを図２に示す。照明システムは、クリプトン濃度が高い（例えば、４０〜１００体積％のクリプトン）本発明のランプ１０に結合するように設計された安定器５０を有する。安定器５０は、高い始動電圧及び／又は高いパルス電圧を有することで始動を容易にする。本発明の安定器５０は、少なくとも５００ボルト、好ましくは５３０ボルト、好ましくは５５０ボルト、好ましくは６００ボルト、好ましくは６５０ボルト、好ましくは７００ボルトの始動電圧を有するのが好ましい。また、本発明の安定器５０は、光条全体を除去するように、より高い周波数の電流波形を歪ませる光条消去電子回路６０を更に含むのが好ましい。
【００２８】
本発明、特に、以下に詳細に説明する本発明の特定の面は、下記の実施例と関連させることにより理解されるであろう。
【００２９】
実施例１
５５体積％のクリプトンを有するランプは、約５３０Ｖの始動電圧を要する。５５体積％のクリプトンと平衡アルゴンとから成る不活性ガスを有し、１．５ｔｏｒｒ及び１．９ｔｏｒｒの総充填ガス２２圧を有する本発明によるＴ８蛍光ランプを市場で普及している瞬時スタート式電子安定器を用いて検査した。検査を行なった電子安定器のリストは、以下の表１に示される。
【００３０】
【表１】
0004375775.tif 000002
【００３１】
前述のアルゴン−クリプトン比の組合せ及び総充填ガス圧力を使用した上記１１０Ｖ電子安定器の全てにおいて、本発明のランプの申し分のない始動が達成された。検査を行なった安定器のいずれにおいても、申し分のない始動を達成するのに始動補助手段を必要としなかった。従って、本発明のランプは、市販されている既存の電子安定器と組み合わせて使用することができると共に、この電子安定器に電気的に有効に結合するのに適している。これは、消費者が、既存の蛍光照明器具において低ワット数蛍光ランプをすぐに使用できることを意味する。
【００３２】
更に高いクリプトン濃度（例えば、最大９５体積％のクリプトン）を有する本発明のランプの検査も行なった。これらのランプは、一般的に、始動するのがやや困難であるが、本発明の安定器５０と組み合わせて使用すると、ルーメン効率は最大２０％の増加で標準Ｔ８ランプと同様のルーメンを示した。
【００３３】
実施例２
本発明の低ワット数４フィートＴ８ランプを標準ＩＥＳ６０Ｈｚラピッドスタート式基準回路で検査した。このランプ２０個の平均性能を同じ回路における２０個の標準４フィートＴ８ランプの平均性能と比較した。その結果を以下の表２に示す。表２に記録されている電力は、標準１２０Ｖ・６０Ｈｚ基準回路で測定されたものである。
【００３４】
【表２】
0004375775.tif 000003
【００３５】
表２において明らかなように、本発明のＴ８ランプの消費電力は約１０％低い。標準Ｔ８ランプは、約９２ルーメン／ワットの出力であるが、本発明のＴ８ランプは、１００ルーメン／ワットである。本発明のランプは、標準の基準回路で使用される場合、約１０％電力消費が減少するが、表１に挙げたような典型的な市販の安定器で動作させた場合には、１０〜１５％電力消費が減少することが観察されている。本発明のランプは、標準Ｔ８ランプと比較して、消費電力が少なくとも５％、６％、７％、８％、９％、１０％、１１％、１２％、１３％、１４％、１５％、１６％、１７％又は１８％低いのが好ましい。また、本発明のランプは、標準Ｔ８ランプと比較して、出力するルーメン／ワットが少なくとも１％、２％、３％、４％、５％、６％、７％、８％、９％又は１０％高いのが好ましい。Ｔ８ランプのみならずいかなる構成の本発明のランプでも、当該技術で知られている対応する標準ランプと比べて同様のワット数の減少、及び、効率（ルーメン／ワット）の増加が達成される。例えば、本発明の趣旨から逸脱せずに、ランプの直径、色温度、及びその他のパラメータを変更することが可能である。
【００３６】
本発明の低ワット数４フィート直線状Ｔ８ランプは、１２０Ｖ・６０Ｈｚ基準回路で動作させたときに、電力消費が３０．９ワット、３０．５ワット、３０．２ワット、３０ワット、２９．９ワット、２９．６ワット、２９．２ワット、２８．９ワット、２８．６ワット、２８．３ワット、２８．０ワット、２７．７ワット、２７．４ワット、２７ワット、２６．６ワット、２６．２ワット又は２５．８ワット以下であるのが好ましい。
【００３７】
本発明のＴ８蛍光ランプは、同等の標準Ｔ８ランプと比較して同一の公称演色指標（ＣＲＩ）特性を有するであろう。このため、本発明のランプは、蛍光層１６における３蛍光体の重量％比を適切に選択することを介して、そのＣＲＩ特性を同様に調整することができるので、現在Ｔ８ランプが使用されている全ての照明器具において事実上使用することが可能である。本発明のランプは、少なくとも５０、好ましくは６０、好ましくは７０、好ましくは７５、好ましくは８０、好ましくは８５、好ましくは９０のＣＲＩを有するのが好ましい。本発明のランプは、少なくとも８０ルーメン／ワット（前述のＩＥＳ基準回路で測定）、好ましくは８２ルーメン／ワット、好ましくは８４ルーメン／ワット、好ましくは８６ルーメン／ワット、好ましくは８８ルーメン／ワット、好ましくは９０ルーメン／ワット、好ましくは９２ルーメン／ワット、好ましくは９３ルーメン／ワット、好ましくは９４ルーメン／ワット、好ましくは９６ルーメン／ワット、好ましくは９８ルーメン／ワット、好ましくは１００ルーメン／ワットの効率を有するのが好ましい。本発明のランプは１００時間で測定したときの（１００時間当りの）ルーメン出力が少なくとも２７００、２７５０、２８００、２８５０又は２９００ルーメンであるのが好ましい。
【００３８】
本発明を好ましい一実施例を参照しながら説明したが、本発明の範囲から逸脱せずに様々な変更を実施でき且つ要素を等価の要素と置き換えても差し支えないことは当業者には理解されるであろう。更に、本発明の本質的な趣旨から逸脱せずにある特定の状況又は材料を本発明の教示に適合させるために数多くの変形を実施できるであろう。従って、本発明は本発明を実施するのに最良であると考えられる態様として開示された特定の実施例に限定されず、特許請求の範囲の範囲に入る全ての実施例を包含するものとする。
【図面の簡単な説明】
【図１】  本発明による代表的な低圧水銀放電ランプを示す図。
【図２】  光条消去電子回路を有する本発明の安定器に電気的に結合する図１に示すような蛍光ランプを有する本発明による低ワット照明システムを示す図。
【符号の説明】
１０…低圧水銀放電ランプ、１２…ガラス外囲器、１６…蛍光体層、１８…電極構造、２２…放電維持充填ガス、５０…安定器、６０…光条消去電子回路
【図１】
0004375775.tif 000004
【図２】
0004375775.tif 000005